(57)【要約】【課題】  緊急招集が行われた場合、医療従事者が現場に行くべきか否かを容易に判断することができるようにすることで必要以上の医療従事者が現場に集まらないようにする。【解決手段】  子機用制御部２１は、読取部２３にて読み取った医療従事者の識別情報およびスキル情報を出力し、緊急招集時に、生成した招集信号とともに患者情報を出力する。親機用制御部３１は、医療従事者の識別情報を病室情報毎にカウントし入力回数を判定する。緊急招集時に、患者情報により特定された病室において、親機用制御部３１は、その判定結果を、医療従事者の識別情報およびスキル情報を、患者情報および病室情報とともに出力する。集計・収集部３４は、集計した医療従事者の人数を在室人数情報として、収集した医療従事者のスキルを在室スキル情報として患者情報および病室情報とともに親機用制御部３１を介して表示装置４０に出力する。【選択図】        図１
2009034200.tif 000002
【特許請求の範囲】
【請求項１】
複数の医療従事者によりそれぞれ携行され、携行する医療従事者を識別するための識別情報および少なくとも前記医療従事者のスキルを示すスキル情報を記憶するＩＣタグと、
急病の患者に対して救命救急措置を行う医療従事者を前記患者が居る病室に緊急招集するために操作される緊急招集操作部と、
前記病室の入口の近辺にそれぞれ設置され、前記ＩＣタグに記憶されている前記識別情報および前記スキル情報を読み取る読取部と、
前記読取部にて読み取った前記識別情報および前記スキル情報から前記病室に居る医療従事者の人数を集計するとともに、前記病室に居る医療従事者のスキルを収集する集計・収集部と、
前記病室に居る医療従事者の人数および前記病室に居る医療従事者のスキルを表示する表示部と、
前記緊急招集を報知する報知部と、
前記緊急招集操作部が操作された場合に、前記集計・収集部にて集計した前記病室に居る医療従事者の人数および前記集計・収集部にて収集した前記病室に居る医療従事者のスキルを前記表示部へ表示させるとともに、前記報知部を動作させる制御部と、
を具備することを特徴とする緊急招集システム。
【請求項２】
複数の医療従事者によりそれぞれ携行され、携行する医療従事者を識別するための識別情報および少なくとも前記医療従事者のスキルを示すスキル情報を記憶するＩＣタグと、
急病の患者に対して救命救急措置を行う医療従事者を前記患者が居る病室に緊急招集するために操作される緊急招集操作部と、
前記病室の入口の近辺にそれぞれ設置され、前記ＩＣタグに記憶されている前記識別情報および前記スキル情報を読み取る読取部と、
前記救命救急措置で必要とされる医療従事者のスキル毎の人数を示す必要人数情報を予め記憶しておく記憶部と、
前記読取部にて読み取った前記識別情報および前記スキル情報から前記病室に居る医療従事者のスキル毎の人数を集計および収集する集計・収集部と、
前記病室に居る医療従事者のスキル毎の人数が前記救命救急措置で必要とされる医療従事者のスキル毎の人数に対して不足しているか否かの度合いを表示する表示部と、
前記緊急招集を報知する報知部と、
前記緊急招集操作部が操作された場合に、前記集計・収集部にて集計および収集した前記病室に居る医療従事者のスキル毎の人数が前記記憶部に前記必要人数情報として記憶されている前記救命救急措置で必要とされる医療従事者のスキル毎の人数に対して不足しているか否かの度合いを判定し、判定した前記度合いを前記表示部へ表示させるとともに、前記報知部を動作させる制御部と、
を具備することを特徴とする緊急招集システム。
【発明の詳細な説明】
【技術分野】
【０００１】
本発明は、病院などで急病の患者が現れたとき、医師や看護師などの医療従事者を緊急招集する緊急招集システムに関する。
【背景技術】
【０００２】
従来、病院内で急病の患者が現れたとき、全館に対して放送する院内放送により、病院内の医療従事者を緊急招集するためのスタットコール（病院によっては、コードブルーやハリーコールなどと言われている）が病院で運用されている。スタットコールが行われた場合、医療従事者は、通常業務を一旦止めて現場に急行し、必要な救命救急措置に携わる。ここで、現場とは、急病の患者が居る病室や処置室などである。
【０００３】
スタットコールが行われた場合、現場では、スタットコールを要請した医療従事者、および、現場に到着した医療従事者は救命救急措置を行う。現場に到着した医療従事者が救命救急措置に加わるか否かの判断は、救命救急措置の指示を行っている医療従事者、または、現場の状況を直接見た医療従事者本人により行われていた。そのため、救命救急措置を行うために必要な人員が確保されていても、スタットコールを聞いた医療従事者は、次々と現場に到着していた。そのため、必要以上の医療従事者が現場に集まってしまうケースが生じるという問題があった。
【０００４】
ところで、患者や医療従事者が居る位置を表示する位置検出システムが知られている（例えば、特許文献１を参照）。このような位置検出システムを使用することにより、医療従事者は、表示装置にて患者や医療従事者が居る位置を閲覧することができる。特許文献１に記載の病院内人物位置検出システムは、患者や医療従事者を識別するための識別情報を読み取る機能を有する床設備と、識別情報を記憶したＲＦＩＤ（Ｒａｄｉｏ  Ｆｒｅｑｕｅｎｃｙ  Ｉｄｅｎｔｉｆｉｃａｔｉｏｎ）チップを内蔵した履物と、患者や医療従事者が居る位置を表示する表示装置と、患者や医療従事者が居る位置を表示装置に表示させるパーソナルコンピュータとを備えている。患者や医療従事者がＲＦＩＤチップを内蔵した履物を履いて床設備を通過すると、床設備は、ＲＦＩＤチップに記憶されている識別情報を取得し、識別情報を自装置の位置を示す位置情報とともに外部へ出力する。そして、パーソナルコンピュータは、床設備から出力された識別情報および位置情報から患者や医療従事者の位置を検出し、患者や医療従事者が居る位置を表示装置に表示させるようにしている。
【特許文献１】特開２００５−２７８７９１号公報
【０００５】
また、特許文献１に記載の病院内人物位置検出システムでは、現場に居る医療従事者の名前が表示装置に表示されるだけなので、各医療従事者がどのようなスキルを持っているかを把握し難い。そのため、救命救急措置で不足／過剰となっているスキルも把握し難くなり、スタットコールを聞いた医療従事者は、自分が現場に行くべきか否かを判断することが困難になってしまうという問題があった。
【発明の開示】
【発明が解決しようとする課題】
【０００６】
本発明は、このような問題を解決するために成されたものであり、スタットコールによる緊急招集が行われた場合、医療従事者が現場に行くべきか否かを容易に判断することができるようにすることで、必要以上の医療従事者が現場に集まらないようにすることを目的とする。
【課題を解決するための手段】
【０００７】
上述した課題を解決するために、本発明の緊急招集システムは、医療従事者が携行するＩＣタグに記憶されている医療従事者を識別するための識別情報、および、医療従事者のスキルを示すスキル情報を読取部にて読み取る。集計・収集部は、読取部にて読み取った医療従事者の識別情報およびスキル情報から、病室に居る医療従事者の人数を集計するとともに、病室に居る医療従事者のスキルを収集する。緊急招集操作部が操作された場合に、制御部は、集計・収集部にて集計した病室に居る医療従事者の人数および集計・収集部にて収集した病室に居る医療従事者のスキルを表示部に表示させるとともに、緊急招集を報知する報知部を動作させるようにしている。
【０００８】
また、本発明の他の態様によれば、救命救急措置で必要とされる医療従事者のスキル毎の人数を示す必要人数情報を記憶部にて予め記憶しておく。集計・収集部は、読取部にて読み取った医療従事者の識別情報およびスキル情報から、病室に居る医療従事者のスキル毎の人数を集計および収集する。緊急招集操作部が操作された場合に、制御部は、集計・収集部にて集計および収集した病室に居る医療従事者のスキル毎の人数が、記憶部に必要人数情報として記憶されている救命救急措置で必要とされる医療従事者のスキル毎の人数に対して不足しているか否かの度合いを判定し、その度合いを表示部へ表示させるとともに、報知部を動作させるようにしている。
【発明の効果】
【０００９】
上記のように構成した本発明によれば、スタットコールによる緊急招集が行われた場合、現場に到着した医療従事者の人数と各医療従事者のスキルとが表示されるので、現場に行こうとしている医療従事者は、表示部を確認するだけで、自分が現場に行くべきか否かを容易に判断することができる。これにより、自分が現場に行くべきではないと判断した医療従事者が現場に急行しなくなるので、必要以上の医療従事者が現場に集まらないようにすることができる。従って、救命救急措置に適切に対応しつつ、医療従事者の業務効率を向上させることができる。
【００１０】
また、本発明の他の態様によれば、スタットコールによる緊急招集が行われた場合、病室に居る医療従事者のスキル毎の人数が救命救急措置で必要とされる医療従事者のスキル毎の人数に対して不足しているか否かの度合いが表示されるので、現場に行こうとしている医療従事者は、表示部を確認するだけで、救命救急措置で不足／過剰となっているスキルを把握することができ、自分が現場に行くべきか否かを容易に判断することができる。これにより、救命救急措置で過剰となっているスキルを持っている医療従事者は、自分が現場に行くべきではないと判断して現場に急行しなくなるので、必要以上の医療従事者が現場に集まらないようにすることができる。従って、救命救急措置に適切に対応しつつ、医療従事者の業務効率を向上させることができる。
【発明を実施するための最良の形態】
【００１１】
以下、本発明の一実施形態を図面に基づいて説明する。本実施形態による緊急招集システムのブロック図を図１に示す。同図に示すように、本実施形態による緊急招集システムは、ＩＣタグ１０、子機２０、親機３０、表示装置４０を備えて構成されている。
【００１２】
ＩＣタグ１０は、図示しないタグ用記憶部を備えている。また、子機２０は、子機用制御部２１、緊急招集操作部２２、読取部２３、子機用インタフェース（以下、Ｉ／Ｆとする）部２４を備えている。また、親機３０は、親機用制御部３１（特許請求の範囲の制御部に該当する）、親機用インタフェース（以下、Ｉ／Ｆとする）部３２、報知部３３、集計・収集部３４を備えている。また、表示装置４０は、表示装置用制御部４１、表示装置用インタフェース（以下、Ｉ／Ｆとする）部４２、表示部４３を備えている。
【００１３】
図１において、ＩＣタグ１０は、医療従事者が常に携行している名札などに取り付けられている。また、ＩＣタグ１０は、ＩＣタグ１０と子機２０とが無線通信可能となる距離に近づいた際に無線を介して子機２０と接続される。ここで、ＩＣタグ１０と子機２０とが無線通信可能となる距離は、少なくともＩＣタグ１０が子機２０の設置されている病室内に入ったときの距離であることが好ましい。子機２０は、病室内の患者の近辺（例えば、ベッド近傍など）または各病室内に設置されており、伝送線を介して親機３０に接続されている。親機３０は、医療従事者の居る部屋（例えば、スタッフルームなど）に設置されており、急病の患者を見つけた医療従事者からの緊急招集を報知するためのものである。ここで、親機３０には、複数の子機２０が接続されている。表示装置４０は、救命救急措置を必要とする患者を識別するための情報を病室番号などとともに表示する。また、表示装置４０は、救命救急措置を行っている医療従事者の氏名やその医療従事者のスキルなどを表示するものである。また、表示装置４０は、各病室の入口の近辺の廊下側や、通路、医療従事者が居る部屋などに設置されており、少なくとも親機３０に接続されている。
【００１４】
ＩＣタグ１０のタグ用記憶部には、ＩＣタグ１０を携行する医療従事者を識別するための識別情報およびその医療従事者のスキルを示すスキル情報が予め記憶されている。また、ＩＣタグ１０の構造やＩＣタグ１０から子機２０への識別情報およびスキル情報の送信処理は、周知の技術を用いる。ここで、識別情報とは、各医療従事者を識別するもの（例えば、医療従事者の氏名など）である。また、スキル情報とは、担当科目（例えば、外科や内科など）、資格（例えば、医師や看護師など）、スキルレベル、経験年数などを示すものである。本実施形態では、スキル情報として担当科目および資格を用いる。
【００１５】
子機用制御部２１は、子機２０の各構成要素を後述するように制御する。緊急招集操作部２２は、救命救急措置が必要な急病の患者が居る病室に医療従事者を緊急招集するために、急病の患者を見つけた医療従事者によって操作されるものである。また、緊急招集操作部２２は、病室内の患者の近辺などに患者毎に設置されている。読取部２３は、病室に入った医療従事者が携行しているＩＣタグ１０と無線通信可能な場所（例えば、病室の入口の近辺など）に設置されており、ＩＣタグ１０と通信してタグ用記憶部に予め記憶されている医療従事者の識別情報とスキル情報とを読み取る。ここで、読取部２３は、子機２０毎に設置しても良いし、同じ病室内で共通のものとして設置しても良い。子機用Ｉ／Ｆ部２４は、子機２０が親機３０との間で通信するために、親機用Ｉ／Ｆ部３２に接続されている。子機用制御部２１は、緊急招集操作部２２の操作により、緊急招集を報知するための招集信号を生成し、救命救急措置を必要とする患者を示す患者情報および患者が居る病室を示す病室情報とともに子機用Ｉ／Ｆ部２４により出力する。また、子機用制御部２１は、読取部２３にて読み取った医療従事者の識別情報およびスキル情報を子機用Ｉ／Ｆ部２４により出力する。ここで、患者情報とは、救急措置を必要とする患者の患者の氏名や患者に関する診療科目などを示すものである。また、病室情報とは、その患者が居る病室の病室番号などを示すものである。
【００１６】
読取部２３の具体的な動作は下記の通りである。読取部２３は、緊急招集操作部２２の操作により緊急招集が開始される前から病室に出入する医療従事者が携行しているＩＣタグ１０を読み取っている。すなわち、読取部２３は、医療従事者が携行しているＩＣタグ１０から送信される通信信号を受信し、通信信号に含まれている医療従事者の識別情報およびスキル情報を取得する。そして、読取部２３は、ＩＣタグ１０から取得した医療従事者の識別情報およびスキル情報を子機用制御部２１へ出力する。このとき、子機用制御部２１は、読取部２３を識別するための情報（例えば、病室を示す病室情報）などを付加する。これにより、読取部２３がＩＣタグ１０を読み取った場合に、医療従事者の識別情報およびスキル情報が病室毎に区分けされ、子機用制御部２１は、どの病室でどのＩＣタグ１０を読取部２３が読み取ったかを判定することができる。
【００１７】
また、子機用制御部２１は、同じ医療従事者の識別情報を同じ読取部２３から入力する度に、医療従事者の識別情報、その医療従事者のスキル情報、その医療従事者が携行するＩＣタグ１０を読み取った読取部２３が設置されている病室を示す病室情報を子機用Ｉ／Ｆ部２４により出力する。ここで、子機用制御部２１は、医療従事者の識別情報、スキル情報を読取部２３から入力する度に、これらの情報に病室情報を付加して出力するようにしても良いし、所定のタイミング毎に出力するようにしても良い。
【００１８】
緊急招集操作部２２の操作により緊急招集が開始されると、子機用制御部２１は、招集信号を生成する。また、子機用制御部２１は、緊急招集操作部２２を識別するための情報などにより、救命救急措置を必要とする患者を特定し、その患者を示す患者情報を取得する。また、子機用制御部２１は、生成した招集信号とともに患者情報を出力する。
【００１９】
親機用制御部３１は、親機３０の各構成要素を後述するように制御する。親機用Ｉ／Ｆ部３２は、親機３０が子機２０および表示装置４０との間で通信するために、子機用Ｉ／Ｆ部２４および表示装置用Ｉ／Ｆ部４２に接続されている。親機用制御部３１は、子機２０から出力された医療従事者の識別情報、スキル情報、病室情報を親機用Ｉ／Ｆ部３２により入力する。また、親機用制御部３１は、子機２０から出力された招集信号および患者情報を親機用Ｉ／Ｆ部３２により入力する。
【００２０】
報知部３３は、スピーカや表示ディスプレイ、表示灯などにより構成されている。親機用制御部３１が子機２０から出力された招集信号を親機用Ｉ／Ｆ部３２により入力すると、報知部３３は、スピーカから呼び出し音を出力させたり、表示ディスプレイに呼び出し表示を行わせたり、表示灯を点灯または点滅させたりして、緊急招集を報知する。なお、報知部３３は、病院全館に対して放送する院内放送により緊急招集を報知するようにしても良い。このように、院内放送により緊急招集を報知する場合、子機２０から出力された招集信号を入力したと親機用制御部３１にて判断したときには、報知部３３は、医療従事者を緊急招集するためのスタットコールを病院全館に対して放送する。
【００２１】
親機用制御部３１は、入力した医療従事者の識別情報を病室情報毎にカウントする。そして、病室情報毎にカウントされた回数に応じて、その医療従事者が病室に入ったのかまたは病室から出たのか、換言すると、医療従事者が病室に居るか否かを判定する。すなわち、同じ病室にて、同じ医療従事者の識別情報を入力した回数が奇数回である場合には、親機用制御部３１は、その医療従事者が病室に居ると判断する。一方、同じ病室にて、同じ医療従事者の識別情報を入力した回数が偶数回である場合には、親機用制御部３１は、その医療従事者が病室に居ないと判断する。
【００２２】
緊急招集操作部２２の操作により、緊急招集が開始されると、親機用制御部３１は、親機用Ｉ／Ｆ部３２により招集信号および患者情報を入力する。親機３０では、患者情報と病室情報とが関連づけて図示しないテーブルに記憶されており、親機用制御部３１は、入力した患者情報により、その患者の居る病室を特定することができる。そして、親機用制御部３１は、特定された病室において、医療従事者が居るか否かを示す判定結果を、医療従事者の識別情報およびスキル情報を、救命救急措置を必要とする患者を示す患者情報および患者が居る病室情報とともに集計・収集部３４に出力する。
【００２３】
また、これ以降に医療従事者の識別情報、その医療従事者のスキル情報、その医療従事者が携行するＩＣタグ１０を読み取った読取部２３が設置されている病室を示す病室情報を親機用制御部３１が入力した場合には、親機用制御部３１は、入力した医療従事者の識別情報が、既に入力済みであるか否かを判定する。既に入力済みであると判断した場合には、親機用制御部３１は、同じ医療従事者の識別情報をカウントした回数を増やして、合計の入力回数を判定する。一方、入力済みではないと判断した場合には、親機用制御部３１は、新たに医療従事者の識別情報のカウントを開始して、合計の入力回数を判定する。そして、同じ医療従事者の識別情報を入力した回数が奇数回である場合には、親機用制御部３１は、その医療従事者が病室に居ると判断する。一方、同じ医療従事者の識別情報を入力した回数が偶数回である場合には、親機用制御部３１は、その医療従事者が病室に居ないと判断する。また、親機用制御部３１は、その時点において病室に居ると判断された医療従事者の識別情報およびスキル情報を更新する。そして、親機用制御部３１は、更新された医療従事者の識別情報およびスキル情報を、救命救急措置を必要とする患者を示す患者情報および患者が居る病室情報とともに集計・収集部３４に出力する。
【００２４】
集計・収集部３４は、親機用制御部３１から出力された医療従事者の識別情報およびスキル情報を、救命救急措置を必要とする患者を示す患者情報および患者が居る病室情報とともに入力する。また、集計・収集部３４は、医療従事者の識別情報に基づいて、患者情報および／または病室情報毎に医療従事者の人数を集計するとともに、各医療従事者のスキルを収集する。そして、集計・収集部３４は、集計した医療従事者の人数を在室人数情報として、収集した医療従事者のスキルを在室スキル情報として患者情報および病室情報とともに親機用制御部３１に出力する。ここで、集計・収集部３４は、親機用制御部３１から医療従事者の識別情報、スキル情報、患者情報および病室情報を入力する度に、集計結果を更新する。
【００２５】
親機用制御部３１は、集計・収集部３４から出力された在室人数情報、在室スキル情報、患者情報および病室情報を入力する。また、親機用制御部３１は、入力した在室人数情報、在室スキル情報、患者情報および病室情報を親機用Ｉ／Ｆ部３２により表示装置４０へ出力する。
【００２６】
表示装置用制御部４１は、表示装置４０の各構成要素を後述するように制御する。表示装置用Ｉ／Ｆ部４２は、表示装置４０が親機３０との間で通信するために、親機用Ｉ／Ｆ部３２に接続されている。表示装置用制御部４１は、親機３０から出力された在室人数情報、在室スキル情報、患者情報および病室情報を表示装置用Ｉ／Ｆ部４２により入力する。表示部４３は、入力した情報により、救命救急措置を必要とする患者を示す情報（例えば、患者の氏名など）およびその患者が居る病室を示す情報（例えば、病室番号など）を表示する。また、表示部４３は、表示装置用制御部４１が入力した在室人数情報に対応するその病室に居る医療従事者の人数および表示装置用制御部４１が入力した在室スキル情報に対応する各医療従事者のスキルを表示する。
【００２７】
図２は、本実施形態による緊急招集システムの表示画面４３０の例を示す説明図である。同図において、表示部４３は、例えば「病室番号：２０１」（病室情報）、「患者名：田中太郎（外科）」（患者情報）、「３名」（在室人数情報）、「外科医師、外科看護師、外科看護師」（在室スキル情報）の文字を表示装置用制御部４１により表示画面４３０に表示する。これにより、救命救急措置を必要とする患者の氏名、その患者が居る病室の病室番号、その病室に居る医療従事者の人数および各医療従事者のスキルが表示画面４３０に表示される。現場に行こうとしている医療従事者は、表示画面４３０を確認するだけで、どこの病室のどの患者に対して救命救急措置を行うかを把握することができるとともに、既に病室に居る医療従事者の人数およびスキルと自分のスキルとを比較することで、自分が救命救急措置に必要であるか否かを容易に判断することができるようになる。
【００２８】
以上、詳しく説明したように、本実施形態の緊急招集システムでは、子機用制御部２１は、読取部２３にて読み取った医療従事者の識別情報およびスキル情報を病室情報とともに出力しており、親機用制御部３１は、入力した医療従事者の識別情報を病室情報毎にカウントし、入力回数を判定することで病室に居る医療従事者を判断する。緊急招集操作部２２の操作により緊急招集が開始されると、子機用制御部２１は、救命救急措置を必要とする患者を示す患者情報を取得し、生成した招集信号とともに患者情報を出力する。親機用制御部３１は、入力した患者情報により緊急招集の対象となる病室を特定する。そして、特定された病室に医療従事者が居ると判断されている場合に、その医療従事者の識別情報およびスキル情報を、救命救急措置を必要とする患者を示す患者情報および患者が居る病室情報とともに集計・収集部３４に出力する。また、これ以降に医療従事者の識別情報、スキル情報、病室情報を親機用制御部３１が入力した場合には、親機用制御部３１は、入力した医療従事者の識別情報をカウントし、合計の入力回数を判定することで病室に居る医療従事者の変化を判断する。親機用制御部３１は、その時点において病室に居ると判断された医療従事者の識別情報およびスキル情報を更新する。そして、親機用制御部３１は、更新された医療従事者の識別情報およびスキル情報を、救命救急措置を必要とする患者を示す患者情報および患者が居る病室情報とともに集計・収集部３４に出力する。集計・収集部３４は、医療従事者の識別情報に基づいて、患者情報および／または病室情報毎に医療従事者の人数を集計するとともに、各医療従事者のスキルを収集する。そして、集計・収集部３４は、集計した医療従事者の人数を在室人数情報として、収集した医療従事者のスキルを在室スキル情報として患者情報および病室情報とともに親機用制御部３１を介して表示装置４０に出力する。表示部４３は、親機３０により入力した情報により、救命救急措置を必要とする患者の氏名、その患者が居る病室の病室番号、その病室に居る医療従事者の人数および各医療従事者のスキルを表示するようにしている。これにより、救命救急措置を必要とする患者に対して対応している医療従事者の人数とスキルとが表示されるので、現場に行こうとしている医療従事者は、表示部４３を確認するだけで、どこの病室のどの患者に対して救命救急措置を行うかを把握することができるとともに、対応している医療従事者の人数とスキルとを把握することができ、自分が現場に行くべきか否かを容易に判断することができる。従って、自分が現場に行くべきではないと判断した医療従事者が現場に急行しなくなるので、必要以上の医療従事者を現場に集めないようにすることができる。よって、救命救急措置に適切に対応しつつ、医療従事者の業務効率を向上させることができる。
【００２９】
なお、前述した実施形態では、表示部４３は、病室に居る医療従事者の人数、および各医療従事者のスキルを表示画面４３０に表示するようにしているが、これに限定されない。例えば、表示部４３は、病室に居る医療従事者の人数だけでなく、病室に居る医療従事者の名前をスキル毎に表示画面４３１に表示するようにしても良い。図３は、病室に居る医療従事者の名前をスキル毎に表示した表示画面４３１の例を示す説明図である。同図に示すように、表示部４３は、「外科医師３名：佐藤太郎、山田次郎、鈴木三郎」、「外科看護師２名：田中花子、佐藤英子」の文字を表示画面４３１に表示し、病室に居る医療従事者の名前をスキル毎に表示するようにしている。この場合、集計・収集部３４は、スキル毎に医療従事者の人数を集計している。また、親機用制御部３１は、医療従事者の識別情報として医療従事者の氏名を示す情報を表示部４３に出力している。
【００３０】
また、前述した実施形態では、表示部４３は、病室に居る医療従事者の人数および各医療従事者のスキルを表示画面４３０に表示するようにしているが、これに限定されない。例えば、表示部４３は、救命救急措置で必要とされる医療従事者のスキルに対して不足／過剰の度合いを表示画面４３０に表示するようにしても良い。
【００３１】
具体的には、図４に示すような緊急招集システムを用いて実現する。同図に示すように、本変形例は、親機３０に親機用記憶部３５（特許請求の範囲の記憶部に該当する）を追加して構成されているものである。なお、ＩＣタグ１０および子機２０の動作については、前述の実施形態と同様の動作を行うため、説明を省略する。
【００３２】
親機用制御部３１は、入力した医療従事者の識別情報を病室情報毎にカウントする。そして、病室情報毎にカウントされた回数に応じて、その医療従事者が病室に入ったのかまたは病室から出たのか、換言すると、医療従事者が病室に居るか否かを判定する。すなわち、同じ病室にて、同じ医療従事者の識別情報を入力した回数が奇数回である場合には、親機用制御部３１は、その医療従事者が病室に居ると判断する。一方、同じ病室にて、同じ医療従事者の識別情報を入力した回数が偶数回である場合には、親機用制御部３１は、その医療従事者が病室に居ないと判断する。
【００３３】
緊急招集操作部２２の操作により、緊急招集が開始されると、親機用制御部３１は、親機用Ｉ／Ｆ部３２により招集信号および患者情報を入力する。親機３０では、患者情報と病室情報とが関連づけて図示しないテーブルに記憶されており、親機用制御部３１は、入力した患者情報により、その患者の居る病室を特定することができる。そして、親機用制御部３１は、特定された病室において、医療従事者が居るか否かを示す判定結果を、医療従事者の識別情報およびスキル情報を、救命救急措置を必要とする患者を示す患者情報および患者が居る病室情報とともに集計・収集部３４に出力する。
【００３４】
また、これ以降に医療従事者の識別情報、その医療従事者のスキル情報、その医療従事者が携行するＩＣタグ１０を読み取った読取部２３が設置されている病室を示す病室情報を親機用制御部３１が入力した場合には、親機用制御部３１は、入力した医療従事者の識別情報が、既に入力済みであるか否かを判定する。既に入力済みであると判断した場合には、親機用制御部３１は、同じ医療従事者の識別情報をカウントした回数を増やして、合計の入力回数を判定する。一方、入力済みではないと判断した場合には、親機用制御部３１は、新たに医療従事者の識別情報のカウントを開始して、合計の入力回数を判定する。そして、同じ医療従事者の識別情報を入力した回数が奇数回である場合には、親機用制御部３１は、その医療従事者が病室に居ると判断する。一方、同じ医療従事者の識別情報を入力した回数が偶数回である場合には、親機用制御部３１は、その医療従事者が病室に居ないと判断する。また、親機用制御部３１は、その時点において病室に居ると判断された医療従事者の識別情報およびスキル情報を更新する。そして、親機用制御部３１は、更新された医療従事者の識別情報およびスキル情報を、救命救急措置を必要とする患者を示す患者情報および患者が居る病室情報とともに集計・収集部３４に出力する。
【００３５】
集計・収集部３４は、親機用制御部３１から出力された医療従事者の識別情報およびスキル情報を、救命救急措置を必要とする患者を示す患者情報および患者が居る病室情報とともに入力する。また、集計・収集部３４は、医療従事者の識別情報に基づいて、患者情報および／または病室情報毎に医療従事者を区分けし、医療従事者のスキル毎の人数を集計する。そして、集計・収集部３４は、集計した医療従事者のスキル毎の人数を在室スキル毎人数情報として患者情報および病室情報とともに親機用制御部３１に出力する。ここで、集計・収集部３４は、親機用制御部３１から医療従事者の識別情報、スキル情報、患者情報および病室情報を入力する度に、集計結果を更新する。
【００３６】
親機用記憶部３５は、救命救急措置で必要とされる医療従事者のスキル毎の人数を示す必要人数情報を予め記憶しておく。例えば、救命救急措置で必要とされる医療従事者のスキル毎の人数として、親機用記憶部３５は、外科医師３人、内科医師２人、外科看護師３人といった必要人数情報を予め記憶しておく。なお、親機用記憶部３５は、１パターンの必要人数情報を予め記憶しておくだけでなく、複数パターンの必要人数情報（例えば、患者が所属する科目毎や患者の病名毎などに応じて異なる）を予め記憶しておくようにしても良い。
【００３７】
親機用制御部３１は、集計・収集部３４から出力された在室スキル毎人数情報、患者情報および病室情報を入力する。親機用制御部３１は、集計・収集部３４にて集計および収集した在室スキル毎人数情報と親機用記憶部３５に予め記憶されている必要人数情報とから、病室に居る医療従事者のスキル毎の人数が救命救急措置で必要とされる医療従事者のスキル毎の人数に対して不足しているか否かの度合いを判定する。親機用制御部３１は、判定した不足しているか否かの度合いを度合い情報とする。そして、親機用制御部３１は、入力した在室スキル毎人数情報、必要人数情報、度合い情報、患者情報および病室情報を親機用Ｉ／Ｆ部３２により表示装置４０へ出力する。ここで、不足しているか否かの度合いとは、救命救急措置で必要とされる各スキルを持っている医療従事者が不足しているか、それとも、その医療従事者が有り余っているか、また、その医療従事者が不足している場合、どれぐらい不足しているかを示すものである。
【００３８】
不足しているか否かの度合いの判定方法は、次の通りである。親機用制御部３１は、集計・収集部３４にて集計した在室人数情報に対応する病室に居る医療従事者のスキル毎の人数が、親機用記憶部３５に予め記憶されている必要人数情報に対応する救命救急措置で必要とされる医療従事者のスキル毎の人数に達しているか否かを判定する。病室に居る医療従事者のスキル毎の人数が必要とされる医療従事者のスキル毎の人数に達していると親機用制御部３１にて判断した場合には、親機用制御部３１は、人数が達しているスキルに対して、「過剰」と判断する。一方、病室に居る医療従事者のスキル毎の人数が必要とされる医療従事者のスキル毎の人数に達していないと親機用制御部３１にて判断した場合には、親機用制御部３１は、病室に居る医療従事者のスキル毎の人数が救命救急措置で必要とされる医療従事者のスキル毎の人数に達するまでどれぐらい不足しているかどうかを判定する。この判定基準は、例えば、病室に居る医療従事者のスキル毎の人数が救命救急措置で必要とされる医療従事者のスキル毎の人数の半数に達しているか否かである。
【００３９】
病室に居る医療従事者のスキル毎の人数が救命救急措置で必要とされる医療従事者のスキル毎の人数の半数に達していると親機用制御部３１にて判断した場合には、親機用制御部３１は、人数が達しているスキルに対して、「不足（レベル１）」と判断する。一方、病室に居る医療従事者のスキル毎の人数が救命救急措置で必要とされる医療従事者のスキル毎の人数の半数に達していないと親機用制御部３１にて判断した場合には、親機用制御部３１は、人数が達していないスキルに対して、「不足（レベル２）」と判断する。また、本変形例では、過剰、不足（レベル１）、不足（レベル２）と判断結果の数が３つになっているが、これに限定されない。救命救急措置の内容に合わせて判定基準を設定することにより、設定した判定基準に対応する判断結果の数を変更することができる。
【００４０】
表示装置用制御部４１は、親機３０から出力された在室スキル毎人数情報、必要人数情報、度合い情報、患者情報および病室情報を表示装置用Ｉ／Ｆ部４２により入力する。表示部４３は、入力した情報により、救命救急措置を必要とする患者を示す情報（例えば、患者の氏名など）、およびその患者が居る病室を示す情報（例えば、病室番号など）を表示する。また、表示部４３は、表示装置用制御部４１が入力した在室スキル毎人数情報に対応するその病室に居る医療従事者のスキル毎の人数、必要人数情報に対応する救命救急措置で必要とされる医療従事者のスキル毎の人数、度合い情報に対応する不足しているか否かの度合いを表示する。
【００４１】
図５は、度合い情報に対応する不足しているか否かの度合いを表示した表示画面４３２の例を示す説明図である。同図に示すように、表示部４３は、例えば「病室番号：２０１」、「患者名：田中太郎（外科）」、「赤色の丸印、外科医師１名（必要人数３名）」、「青色の丸印、内科医師３名（必要人数２名）」、「黄色の丸印、外科看護師２名（必要人数３）」の３種の丸印と文字とを表示画面４３２に表示する。ここで、病室に居る医療従事者のスキル毎の人数が救命救急措置で必要とされる医療従事者のスキル毎の人数に対して不足しているか否かの度合いを示す度合い情報は、３種の丸印（青色、黄色、赤色）で表示される。過剰の判断結果の場合には青色の丸印が、不足（レベル１）の判断結果の場合には黄色の丸印が、不足（レベル２）の判断結果の場合には赤色の丸印が、それぞれのスキルの左側に表示される。なお、表示画面４３２に表示される３種の丸印は、一例であり、現場に行こうとしている医療従事者がその度合いを視認することができるものであれば良く、表示部４３は、不足しているか否かの度合いを文字などを使用して表示画面４３２に表示するようにしても良い。
【００４２】
また、前述した変形例では、表示部４３は、スキル毎に度合い情報を表示画面４３２に表示するようにしているが、これに限定されない。例えば、表示部４３は、病室に居る医療従事者の総人数が救命救急措置で必要とされる医療従事者の総人数に対して不足しているか否かを示す度合い情報を表示画面４３２に表示するようにしても良い。
【図面の簡単な説明】
【００４３】
【図１】本実施形態の緊急招集システムのブロック図である。
【図２】表示部の表示画面の例を示す説明図である。
【図３】表示部の表示画面の例（医療従事者の名前をスキル毎に表示）を示す説明図である。
【図４】緊急招集システムの変形例のブロック図である。
【図５】表示部の表示画面の例（医療従事者のスキルに対して不足／過剰の度合いを表示）を示す説明図である。
【符号の説明】
【００４４】
１０    ＩＣタグ
２０    子機
２１    子機用制御部
２２    緊急招集操作部
２３    読取部
２４    子機用インタフェース（Ｉ／Ｆ）部
３０    親機
３１    親機用制御部
３２    親機用インタフェース（Ｉ／Ｆ）部
３３    報知部
３４    集計・収集部
３５    親機用記憶部
４０    表示装置
４１    表示装置用制御部
４２    表示装置用インタフェース（Ｉ／Ｆ）部
４３    表示部
４３０  表示画面
４３１  表示画面
４３２  表示画面
【図１】
2009034200.tif 000003
【図２】
2009034200.tif 000004
【図３】
2009034200.tif 000005
【図４】
2009034200.tif 000006
【図５】
2009034200.tif 000007